(57)【要約】【課題】基板を配置する空間が狭い場合であっても、基板をコネクタに十分な強度で容易に固定し、コネクタから容易に着脱できる。【解決手段】押圧部材７６を第２挿入口７５から収容部７３側に挿入することにより、固定部材７４の面と、固定部材７４の面に沿っている収容部７３の側面とに押圧部材７６のそれぞれの面を接触させて固定部材７４を押圧し、収容部７３に収容される基板６１ａ，６１ｂを固定して第１電極８２ａ，８２ｂと第２電極８４ａ，８４ｂとを接続する。固定部材７４は第２挿入口７５側の一端部の厚さが他端部の厚さより薄いテーパー形状で形成されており、押圧部材７６は第２挿入口７５側の一端部の厚さが他端部の厚さより厚いテーパー形状で形成されているために、押圧部材７６を第２挿入口７５側から収容部７３側に挿入することが容易であり均一な強度で固定して接続できる。【選択図】図１０
2005124722.tif 000002
【特許請求の範囲】
【請求項１】
基板が挿入される第１挿入口が形成され、前記第１挿入口から挿入される前記基板の少なくとも一部を収容する収容部が設けられているコネクタ本体と、
押圧されることによって前記収容部に収容される前記基板を固定するように一方面が前記基板の面と対面して前記収容部に配置されている固定部材と、
前記固定部材の面に沿っている前記収容部の側面側と前記固定部材の他方面側とに接触することによって前記固定部材を押圧する押圧部材と
を具備し、
前記コネクタ本体には、前記押圧部材が挿入される第２挿入口が前記収容部につながるように設けられており、
前記固定部材は、前記第２挿入口側の一端部の厚さが他端部の厚さより薄くなるように形成されており、
前記押圧部材は、前記第２挿入口側の一端部の厚さが他端部の厚さより厚くなるように形成され、前記第２挿入口から前記収容部側に挿入されることによって前記固定部材を押圧する
コネクタ。
【請求項２】
前記基板には、第１電極が少なくとも一方面に設けられており、
前記固定部材には、前記第１電極に対応するように第２電極が一方面に設けられており、
前記収容部は、前記第１電極が設けられている前記基板の一方面が前記固定部材の前記第２電極が設けられている一方面側と対面するように前記基板を収容し、
前記押圧部材は、前記固定部材を押圧して前記第１電極と前記第２電極とを接続させる
請求項１に記載のコネクタ。
【請求項３】
前記固定部材は、前記第１電極と前記第２電極とが接続される領域を覆うように一方面が形成されている
請求項２に記載のコネクタ。
【請求項４】
前記押圧部材は、前記固定部材の他方面を覆うようにして一方面が形成されている
請求項３に記載のコネクタ。
【請求項５】
前記押圧部材は、前記固定部材の面に沿っている前記収容部の側面と前記固定部材の他方面との間にある空間の厚みに対応するような厚さで形成されている
請求項１から４のいずれかに記載のコネクタ。
【請求項６】
前記押圧部材は、前記第２挿入口から前記収容部に着脱自在となるように形成されている
請求項１から５のいずれかに記載のコネクタ。
【請求項７】
前記押圧部材には、前記第２挿入口から前記押圧部材が挿入可能な距離を調整する押圧調整部材が設けられている
請求項１から６のいずれかに記載のコネクタ。
【請求項８】
前記押圧調整部材は、頭部と前記頭部に接続しているネジ部とを有し、
前記押圧部材には、前記ネジ部を装着するネジ穴部が一端部側に形成されており、
前記頭部を所定方向に回動させ前記ネジ部を前記ネジ穴部に進行させることによって、前記第２挿入口から前記押圧部材が挿入可能な距離を調整する
請求項７に記載のコネクタ。
【請求項９】
前記コネクタ本体には、前記基板を前記第１挿入口から挿入する位置を案内するガイド部材が設けられている
請求項１から８のいずれかに記載のコネクタ。
【請求項１０】
前記ガイド部材は、前記固定部材の面に沿っている前記収容部の側面に、端部が固定されるようにして形成されているガイド棒である
請求項９に記載のコネクタ。
【請求項１１】
前記押圧部材には、前記ガイド棒を用いて前記第２挿入口から挿入される位置を案内する押圧ガイド溝が前記ガイド棒に対応して形成されている
請求項１０に記載のコネクタ。
【請求項１２】
前記固定部材は、前記ガイド棒が貫通している貫通孔を有している
請求項９または１０に記載のコネクタ。
【請求項１３】
前記固定部材は、前記貫通孔に貫通している前記ガイド棒の軸方向に沿って前記収容部内において移動可能なように設けられている
請求項１２に記載のコネクタ。
【請求項１４】
前記ガイド棒として、前記収容部の前記第２挿入口側の一端部側に形成されている第１ガイド棒と、前記収容部の前記第２挿入口側の反対側の他端部側に形成されている第２ガイド棒とを有する
請求項１０に記載のコネクタ。
【請求項１５】
前記押圧部材には、前記第１および第２のガイド棒を用いて前記第２挿入口から挿入される位置を案内する押圧ガイド溝が前記第１および第２のガイド棒に対応して形成されている
請求項１４に記載のコネクタ。
【請求項１６】
前記固定部材は、前記第１ガイド棒が貫通している第１貫通孔と、前記第２ガイド棒が貫通している第２貫通孔とを有している
請求項１４または１５に記載のコネクタ。
【請求項１７】
前記固定部材は、前記第１貫通孔に貫通している前記第１ガイド棒と前記第２貫通孔に貫通している前記第２ガイド棒との軸方向に沿って前記収容部内において移動可能なように設けられている
請求項１６に記載のコネクタ。
【請求項１８】
被撮影体の撮影領域に照射され前記撮影領域を透過する前記放射線を検出し投影データを出力する検出素子が配置されている検出手段と、前記検出素子による前記投影データが入力される第１電極が少なくとも一方面に設けられ、前記入力される投影データを収集するための駆動回路が形成されている基板を有する収集手段と、前記検出素子からの投影データを前記第１電極に出力する第２電極が前記第１電極に対応するように設けられ、前記第１電極と前記第２電極とを接続するコネクタとを具備する放射線断層撮影装置であって、
前記コネクタは、
前記基板が挿入される第１挿入口が形成され、前記第１挿入口から挿入される前記基板の前記第１電極を収容する収容部が設けられているコネクタ本体と、
前記基板が挿入される際に前記第１電極と対面するように前記第２電極が一方面に設けられ、押圧されることによって前記第１電極と前記第２電極とを接続して前記収容部に収容される前記基板を固定するように前記収容部に配置されている固定部材と、
前記固定部材の面に沿っている前記収容部の側面と前記固定部材の他方面とに接触することによって前記固定部材を押圧する押圧部材と
を備え、
前記コネクタ本体には、前記押圧部材が挿入される第２挿入口が前記収容部につながるように設けられており、
前記固定部材は、前記第２挿入口側の一端部の厚さが他端部の厚さより薄くなるように形成されており、
前記押圧部材は、前記第２挿入口側の一端部の厚さが他端部の厚さより厚くなるように形成され、前記第２挿入口から前記収容部側に挿入することによって前記固定部材を押圧する
放射線断層撮影装置。
【請求項１９】
前記固定部材は、前記第１電極と前記第２電極とが接続される領域を覆うように一方面が形成されている
請求項１８に記載の放射線断層撮影装置。
【請求項２０】
前記押圧部材は、前記固定部材の他方面を覆うようにして一方面が形成されている
請求項１８または１９に記載の放射線断層撮影装置。
【発明の詳細な説明】
【技術分野】
【０００１】
本発明は、コネクタおよび放射線断層撮影装置に関し、特に、放射線を検出して投影データを出力する検出素子が複数配置されている検出手段に適用されるコネクタと、当該コネクタを用いた放射線断層撮影装置に関するものである。
【背景技術】
【０００２】
放射線断層撮影装置として、放射線であるＸ線を用いて被撮影体の断層面の画像を生成するＸ線ＣＴ（Ｃｏｍｐｕｔｅｄ  Ｔｏｍｏｇｒａｐｈｙ）装置が知られている。Ｘ線ＣＴ装置は、人体や物体などを被撮影体とし、医療用途や産業用途などの広範な用途で利用されている。
【０００３】
Ｘ線ＣＴ装置は、たとえば、被撮影体の体軸方向を軸として被撮影体の周囲を走査して、複数のビュー（ｖｉｅｗ）方向から被撮影体にＸ線管を用いてＸ線を照射する。そして、Ｘ線を検出する検出素子が配置されているＸ線検出器が、複数のビュー方向から被撮影体を透過するＸ線を、それぞれのビュー方向ごとに検出し、Ｘ線検出器と接続している電極から投影データを出力する。その後、投影データを収集するための駆動回路が形成されている基板を有するデータ収集部が、Ｘ線検出器に接続している電極より出力される投影データを基板の電極から収集する。そして、収集された投影データに基づいて被撮影体の撮影領域の断層像を再構成して生成する。
【０００４】
近年、Ｘ線ＣＴ装置は、被撮影体の撮影部位や撮影する目的が多様化してきており、解像度などの画像品質の向上や撮影の高速化が要求されている。このような要求に応えるため、Ｘ線ＣＴ装置は、被撮影体の周囲を一回転走査する間に複数の断層像を得ることができるように、複数の検出素子がアレイ状に配列されたＸ線検出器を有し、配置される検出素子の数が増加してきている（たとえば、特許文献１参照）。
【特許文献１】特開２００３−３３３４４号公報
【発明の開示】
【発明が解決しようとする課題】
【０００５】
以上のようなＸ線検出器は、Ｘ線を検出する検出素子がアレイ状に複数配列されているＸ線検出モジュール（ｍｏｄｕｌｅ）を複数有しており、製造を容易とするために、複数のＸ線検出モジュールがチャネル（ｃｈａｎｎｅｌ）方向と体軸方向とのそれぞれに隣接して配置されて構成されている。また、さらに、Ｘ線検出器は、解像度を向上させるために、複数の検出素子が高密度に配置されており、検出素子からの投影データをデータ収集部へ出力する電極も限定された領域内に形成するために高密度に配置されている。
【０００６】
そして、Ｘ線検出器から出力される投影データを収集するデータ収集部においても同様に、Ｘ線検出器を構成する複数のＸ線検出モジュールに対応して、投影データを収集するための駆動回路を有する基板が複数枚配置され、そして、Ｘ線検出素子から投影データを出力する電極の高密度化に対応して、投影データを入力する電極が基板に高密度に形成されている。
【０００７】
そして、このようなＸ線検出器の電極とデータ収集部の基板の電極とを互いに接続する場合、従来においては、たとえば、熱圧着やコネクタを用いることにより実施していた。
【０００８】
しかしながら、従来の熱圧着においては、電極が高密度化されるに伴って接続作業をするための空間が狭くなり、電極を高精度に接続させることが困難となっていた。また、従来のコネクタにおいては、電極が高密度化されるに伴って電極間を接続することが困難となり、電極が形成されている基板をコネクタに十分な強度で固定することが困難となっていた。
【０００９】
また、複数のＸ線検出モジュールにより構成されるＸ線検出アレイをメンテナンスする際には、基板が複数枚配置されている狭い空間において故障したＸ線検出モジュールのみを交換することになるが、従来の熱圧着による接続においては、着脱自在とすることができず、また、従来のコネクタにおいては、基板が複数枚配置されているために着脱作業をする空間が狭くなり着脱が困難となっていた。
【００１０】
以上のように、放射線断層撮影装置である従来のＸ線ＣＴ装置においては、画像品質向上および撮影高速化の要求によってＸ線検出器の検出素子が増加するに伴って、電極が高密度化されて基板をコネクタに十分な強度で固定することが困難となり、また、基板を配置する空間が狭くなって基板をコネクタから着脱することが困難となりメンテナンスが容易でなかった。
【００１１】
したがって、本発明の目的は、基板を十分な強度で容易に固定することができ、また、基板を容易に着脱することができ、メンテナンスを容易にすることができるコネクタおよび放射線断層撮影装置を提供することにある。
【課題を解決するための手段】
【００１２】
上記目的を達成するため、本発明のコネクタは、基板が挿入される第１挿入口が形成され、前記第１挿入口から挿入される前記基板の少なくとも一部を収容する収容部が設けられているコネクタ本体と、押圧されることによって前記収容部に収容される前記基板を固定するように一方面が前記基板の面と対面して前記収容部に配置されている固定部材と、前記固定部材の面に沿っている前記収容部の側面側と前記固定部材の他方面側とに接触することによって前記固定部材を押圧する押圧部材とを具備し、前記コネクタ本体には、前記押圧部材が挿入される第２挿入口が前記収容部につながるように設けられており、前記固定部材は、前記第２挿入口側の一端部の厚さが他端部の厚さより薄くなるように形成されており、前記押圧部材は、前記第２挿入口側の一端部の厚さが他端部の厚さより厚くなるように形成され、前記第２挿入口から前記収容部側に挿入されることによって前記固定部材を押圧する。
【００１３】
本発明によれば、押圧部材を第２挿入口から収容部側に挿入することにより、固定部材の面と、固定部材の面に沿っている収容部の側面とに押圧部材の面を接触させて収容部の固定部材を押圧し、収容部に収容される基板を固定する。固定部材は第２挿入口側の一端部の厚さが他端部の厚さより薄くなるように形成されており、押圧部材は第２挿入口側の一端部の厚さが他端部の厚さより厚くなるように形成されているために、収容部の第２挿入口側と反対の他端部側を容易に押圧することができるため、均一な強度で基板を固定している。
【００１４】
上記目的を達成するため、本発明の放射線断層撮影装置は、被撮影体の撮影領域に照射され前記撮影領域を透過する前記放射線を検出し投影データを出力する検出素子が配置されている検出手段と、前記検出素子による前記投影データが入力される第１電極が少なくとも一方面に設けられ、前記入力される投影データを収集するための駆動回路が形成されている基板を有する収集手段と、前記検出素子からの投影データを前記第１電極に出力する第２電極が前記第１電極に対応するように設けられ、前記第１電極と前記第２電極とを接続するコネクタとを具備する放射線断層撮影装置であって、前記コネクタは、前記基板が挿入される第１挿入口が形成され、前記第１挿入口から挿入される前記基板の前記第１電極を収容する収容部が設けられているコネクタ本体と、前記基板が挿入される際に前記第１電極と対面するように前記第２電極が一方面に設けられ、押圧されることによって前記第１電極と前記第２電極とを接続して前記収容部に収容される前記基板を固定するように前記収容部に配置されている固定部材と、前記固定部材の面に沿っている前記収容部の側面と前記固定部材の他方面とに接触することによって前記固定部材を押圧する押圧部材とを備え、前記コネクタ本体には、前記押圧部材が挿入される第２挿入口が前記収容部につながるように設けられており、前記固定部材は、前記第２挿入口側の一端部の厚さが他端部の厚さより薄くなるように形成されており、前記押圧部材は、前記第２挿入口側の一端部の厚さが他端部の厚さより厚くなるように形成され、前記第２挿入口から前記収容部側に挿入することによって前記固定部材を押圧する。
【００１５】
本発明によれば、押圧部材を第２挿入口から収容部側に挿入することにより、固定部材の他方面と、固定部材の面に沿っている収容部の側面とに押圧部材の面を接触させて収容部の固定部材を押圧し、収容部に収容される基板を固定して第１電極と第２電極とを接続する。固定部材は第２挿入口側の一端部の厚さが他端部の厚さより薄くなるように形成されており、押圧部材は第２挿入口側の一端部の厚さが他端部の厚さより厚くなるように形成されているために、収容部の第２挿入口側と反対の他端部側を容易に押圧することができるため、均一な強度で基板を固定して第１電極と第２電極とを接続する。
【発明の効果】
【００１６】
したがって、本発明によれば、基板を十分な強度で容易に固定することができ、また、基板を容易に着脱することができ、メンテナンスを容易にすることができるコネクタおよび放射線断層撮影装置を提供することができる。
【発明を実施するための最良の形態】
【００１７】
以下、図面を参照して本発明にかかる実施形態を詳細に説明する。
【００１８】
まず、本発明にかかる実施形態の放射線断層撮影装置の構成について説明する。図１は、本発明にかかる実施形態の放射線断層撮影装置としてのＸ線ＣＴ装置１の全体構成を示すブロック図であり、図２は、本発明にかかる実施形態の放射線断層撮影装置としてのＸ線ＣＴ装置１の要部を示す構成図である。
【００１９】
図１に示すように、本実施形態のＸ線ＣＴ装置１は、走査ガントリ２と操作コンソール３と撮影テーブル４とを有している。
【００２０】
走査ガントリ２は、Ｘ線管２０とＸ線管移動部２１とコリメータ２２とＸ線検出アレイ２３とデータ収集部２４とＸ線コントローラ２５とコリメータコントローラ２６と回転部２７と回転コントローラ２８とを主構成要素として有している。ここで、Ｘ線管２０とＸ線検出アレイ２３とは、Ｘ線照射空間２９を挟んで対向して配置されている。
【００２１】
なお、走査ガントリ２のうち、Ｘ線検出アレイ２３は本発明に係る検出手段に相当し、データ収集部２４は本発明に係る収集手段に相当する。
【００２２】
Ｘ線管２０は、Ｘ線コントローラ２５からの制御信号ＣＴＬ２５１に基づいて、所定強度のＸ線５を、コリメータ２２を介して被撮影体６の撮影領域Ｒに照射する。
【００２３】
Ｘ線管移動部２１は、Ｘ線コントローラ２５からの制御信号ＣＴＬ２５２に基づいて、Ｘ線管２０の放射中心を、走査ガントリ２におけるＸ線照射空間２９内の撮影テーブル４に載置される被撮影体６の体軸方向（図１の紙面に直交する方向、および、図２のｚ方向）に移動させる。
【００２４】
コリメータ２２は、Ｘ線管２０とＸ線検出アレイ２３との間に配置されており、コリメータコントローラ２６からの制御信号ＣＴＬ２６１に基づいてアパーチャの開度を調節することにより、Ｘ線管２０から放射されたＸ線５をチャネル方向ｘと体軸方向ｚとのそれぞれにおいて遮り、チャネル方向ｘと体軸方向ｚとに所定幅を有するコーン状のＸ線５に成形してＸ線５の照射範囲を調整する。コリメータ２２のアパーチャの開度調節は、たとえば、チャネル方向ｘと体軸方向ｚとにそれぞれ設けられた２枚の板を独立して移動させることにより行われる。
【００２５】
Ｘ線検出アレイ２３は、８つのＸ線検出モジュール２３Ａ，２３Ｂ，２３Ｃ，２３Ｄ，２３Ｅ，２３Ｆ，２３Ｇ，２３Ｈを有しており、８つのＸ線検出モジュール２３Ａ，２３Ｂ，２３Ｃ，２３Ｄ，２３Ｅ，２３Ｆ，２３Ｇ，２３Ｈが、Ａ列からＨ列の順に体軸方向ｚに隣接して並列し配置されている。
【００２６】
図３は、Ｘ線検出アレイ２３を構成する８つのＸ線検出モジュール２３Ａ，２３Ｂ，２３Ｃ，２３Ｄ，２３Ｅ，２３Ｆ，２３Ｇ，２３Ｈのうち、Ａ列のＸ線検出モジュール２３Ａを示す構成図である。図３に示すように、Ｘ線検出モジュール２３Ａは、Ｘ線を検出する検出素子２３ａがチャネル方向ｘと体軸方向ｚとにアレイ状に配列されている。２次元的に配列された複数の検出素子２３ａは、全体として、円筒凹面状に湾曲したＸ線入射面を形成している。ここで、チャネル方向ｘには、たとえば、１０００個の検出素子２３ａが配列されており、体軸方向ｚには、たとえば、８個の検出素子２３ａが配列されている。なお、Ｂ列からＨ列のＸ線検出モジュール２３Ｂ，２３Ｃ，２３Ｄ，２３Ｅ，２３Ｆ，２３Ｇ，２３Ｈも、図３に示すＡ列のＸ線検出モジュール２３Ａと同様である。
【００２７】
検出素子２３ａは、たとえば、検出したＸ線を光に変換するシンチレータ（図示なし）と、シンチレータが変換した光を電荷に変換するフォトダイオード（図示なし）とを有する固体検出器を用いて構成されている。なお、検出素子２３ａは、これに限定されるものではなく、たとえば、カドミウム・テルル（ＣｄＴｅ）等を利用した半導体検出素子、あるいはキセノン（Ｘｅ）ガスを利用した電離箱型の検出素子２３ａであって良い。
【００２８】
図４，図５は、Ｘ線管２０とコリメータ２２とＸ線検出アレイ２３の相互関係を示す図である。図４において、図４（ａ）は体軸方向ｚを視線とする側からの状態を示す図であり、図４（ｂ）はチャネル方向ｘを視線とする側からの状態を示す図である。また、図５は、図４（ｂ）と同様にチャネル方向ｘを視線とする側からの状態において、被撮影体６を撮影する状態を示す図である。
【００２９】
図４（ａ），図４（ｂ）に示すように、Ｘ線管２０から放射されたＸ線５は、コリメータ２２によって所定のコーン角を有するコーン状のＸ線５となるように成形され、Ｘ線検出アレイ２３の所定領域にある検出素子２３ａに照射されるようになっている。そして、図５に示すように、被撮影体６を撮影する場合においては、撮影テーブル４に載置された被撮影体６がＸ線照射空間２９に搬入され、被撮影体６の体軸方向を軸として被撮影体６の周囲を走査して、被撮影体６の撮影領域ＲにＸ線管２０からＸ線５が照射される。そして、Ｘ線管２０から照射されたＸ線５は、コリメータ２２を介して被撮影体６を透過してＸ線検出アレイ２３に検出される。そして、Ｘ線検出アレイ２３は、被撮影体６を透過して検出されるＸ線に基づいて投影データを出力する。
【００３０】
データ収集部２４は、Ｘ線検出アレイ２３の個々の検出素子２３ａによる投影データを収集し、操作コンソール３に出力する。図２に示すように、データ収集部２４は、選択・加算切換回路（ＭＵＸ，ＡＤＤ）２４１やアナログ−デジタル変換回路（ＡＤＣ）２４２などの駆動回路を有している。選択・加算切換回路（ＭＵＸ，ＡＤＤ）２４１やアナログ−デジタル変換回路（ＡＤＣ）２４２などの駆動回路は、基板に形成されており、コネクタ５０によってＸ線検出アレイ２３と接続されている。コネクタ５０は、たとえば、Ｘ線検出アレイ２３のＸ線検出モジュール２３Ａ，２３Ｂ，２３Ｃ，２３Ｄ，２３Ｅ，２３Ｆ，２３Ｇ，２３Ｈのそれぞれに対応して１つずつ設けられており、前述したように、狭い空間に互いの基板が近接して配置されている。なお、コネクタ５０については、後に詳細に説明する。
【００３１】
選択・加算切換回路２４１は、Ｘ線検出アレイ２３の検出素子２３ａによる投影データを、操作コンソール３の中央処理装置３０からの制御信号ＣＴＬ３０３に応じて選択し、あるいは組み合わせを変えて足し合わせて収集し、収集した投影データをアナログ−デジタル変換回路２４２に出力する。アナログ−デジタル変換回路２４２は、選択・加算切換回路２４１において選択あるいは任意の組み合わせで足し合わされた投影データをアナログ信号からデジタル信号に変換して、操作コンソール３の中央処理装置３０に出力する。
【００３２】
Ｘ線コントローラ２５は、操作コンソール３の中央処理装置３０からの制御信号ＣＴＬ３０１に応じて、Ｘ線管２０に対し制御信号ＣＴＬ２５１を出力してＸ線放射の制御を行う。また、Ｘ線コントローラ２５は、操作コンソール３の中央処理装置３０による制御信号ＣＴＬ３０１に応じて、Ｘ線管移動部２２１に対し制御信号ＣＴＬ２５２を出力して、Ｘ線管２０の放射中心を体軸方向ｚに指示に応じた距離だけ移動させる。
【００３３】
コリメータコントローラ２６は、操作コンソール３の中央処理装置３０による制御信号ＣＴＬ３０２に応じて、コリメータ２２に対して制御信号ＣＴＬ２６１を出力しコリメータ２２のアパーチャ２２１の開度を調整して、Ｘ線管２０から放射されたＸ線５を成形させてＸ線検出アレイ２３の所望の領域に照射させる。
【００３４】
回転部２７は、回転コントローラ２８による制御信号ＣＴＬ２８に基づいて所定の方向に回転する。この回転部２７には、Ｘ線管２０とＸ線管移動部２１とコリメータ２２とＸ線検出アレイ２３とデータ収集部２４とＸ線コントローラ２５とコリメータコントローラ２６とが搭載されており、これらの構成要素は、回転部２７の回転に伴ってＸ線照射空間２９に搬入される被撮影体６に対して位置関係が変化する。回転部２７を回転させることにより、被撮影体６の体軸方向を軸とし複数のビュー方向からＸ線５を照射して、被撮影体６を透過したＸ線５が検出される。
【００３５】
回転コントローラ２８は、操作コンソール３の中央処理装置３０による制御信号ＣＴＬ３０４に応じて、回転部２７に対し制御信号ＣＴＬ２８を出力して、所定の方向に所望の回転数だけ回転させる。
【００３６】
操作コンソール３は、中央処理装置３０と入力装置３１と表示装置３２と記憶装置３３とを主構成要素として有している。
【００３７】
中央処理装置３０は、たとえば、マイクロコンピュータ等により構成され、各種の機能に応じたプログラムを有する。中央処理装置３０は、入力装置３１から入力される指示に応じて、被撮影体６が載置される撮影テーブル４を走査ガントリ２のＸ線照射空間２９に対して搬入または搬出させるために、制御信号ＣＴＬ３０ｂを撮影テーブル４に出力する。
【００３８】
そして、中央処理装置３０は、入力装置３１から入力されるマルチスライススキャンの開始指示を受けて走査ガントリ２の回転コントローラ２８に制御信号ＣＴＬ３０４を出力して、走査ガントリ２の回転部２７を所定方向に指示に応じた回数に回転させる。
【００３９】
また、中央処理装置３０は、走査ガントリ２のＸ線管２０にＸ線５の放射させるために、制御信号ＣＴＬ３０１をＸ線コントローラ２５に出力する。
【００４０】
そして、中央処理装置３０は、入力装置３１から入力される被撮影体６の撮影領域Ｒの情報を受けて、制御信号ＣＴＬ３０１をＸ線コントローラ２５に出力し、Ｘ線管２０の放射中心を体軸方向ｚへ指示に応じた距離だけ移動させる。また、その際には、Ｘ線５を所定範囲に放射させるために、所定のアパーチャ開度となるようにコリメータ２２を制御する制御信号ＣＴＬ３０２を、コリメータコントローラ２６に出力する。
【００４１】
また、中央処理装置３０は、入力装置３１から入力される被撮影体６の撮影領域Ｒの情報に応じて、Ｘ線検出アレイ２３の検出素子２３ａが得る投影データを選択、あるいは、組み合わせを変えて足し合わせるように、制御信号ＣＴＬ３０３をデータ収集部２４の選択・加算切換回路２４１に出力する。また、中央処理装置３０は、データ収集部２４が収集した投影データに、オフセット補正などの前処理を施す。
【００４２】
そして、中央処理装置３０は、複数のビュー方向からの投影データに基づいて画像再構成を行い、複数の断層像の画像データを生成する。画像再構成には、たとえば、フィルタード・バックプロジェクション（ｆｉｌｔｅｒｅｄ  ｂａｃｋ  Ｐｒｏｊｅｃｔｉｏｎ）法が用いられる。そして、生成された画像データは、表示装置３２に出力されて表示される。
【００４３】
入力装置３１は、撮影条件等の情報を中央処理装置３０に入力するために設けられており、たとえば、キーボードやマウスにより構成される。なお、入力装置３１は、走査ガントリ２または撮影テーブル４に接続されていてもよい。
【００４４】
表示装置３２は、中央処理装置３０からの指令に基づき、再構成されて生成された断層像やその他の各種情報を表示する。
【００４５】
記憶装置３３は、各種のデータや再構成画像およびプログラム等を記憶し、記憶データが、必要に応じて中央処理装置３０によりアクセスされる。
【００４６】
つぎに、本発明にかかる本実施形態のコネクタ５０について説明する。
【００４７】
図６，図７，図８，図９，図１０は、本発明にかかる本実施形態のコネクタ５０の構成を示す構成図であり、図２のＸ線ＣＴ装置１におけるＸ線検出アレイ２３を構成する１つのＸ線検出モジュール２３Ａに配置されるコネクタ５０を示している。ここで、図６は、図２において体軸方向Ｚの一方の側を視線とした場合を示す図であり、図７は図６に対して他方の側を視線とした場合を示す図である。また、図８はチャネル方向ｘを視線とした場合を示す図であり、図９および図１０は、Ｘ線照射方向ｙを視線とする場合を示す図である。なお、図６，図７，図８，図９は、第１および第２の基板６１ａ，６１ｂの第１電極８２ａ，８２ｂとコネクタ５０の第２電極８４ａ，８４ｂとを接続する前の状態を示しており、図１０（ａ）は、第１および第２の基板６１ａ，６１ｂを第１挿入口７２から挿入して収容部７３に収容した後の状態を示しており、図１０（ｂ）は、押圧部材７６を第２挿入口７５から挿入して第１および第２の基板６１ａ，６１ｂの第１電極８２ａ，８２ｂとコネクタ５０の第２電極８４ａ，８４ｂとを接続した後を示している。
【００４８】
図６から図１０に示すように、本実施形態のコネクタ５０は、コネクタ本体７１と、固定部材７４と、押圧部材７６とを有する。
【００４９】
本実施形態のコネクタ５０は、前述のデータ収集部２４を構成する第１および第２の基板６１ａ，６１ｂを、Ｘ線検出アレイ２３を構成するＸ線検出モジュール２３Ａと接続するために設けられている。
【００５０】
第１および第２の基板６１ａ，６１ｂのそれぞれは、前述のように駆動回路を有し、図６および図７に示すように、第１電極板８１ａ，８１ｂが設けられている。第１電極板８１ａ，８１ｂは、絶縁板を用いて構成され、検出素子２３ａからの投影データが入力される第１電極８２ａ、８２ｂがＸ線検出モジュール２３Ａの複数の検出素子２３ａに対応して一方面にマトリクス状に設けられている。第１電極８２ａ，８２ｂは、たとえば、スプリングにより所定位置にピンが押圧され、スプリングの押圧方向に沿ってピンが移動可能なスプリング式ピンを用いて構成されており、検出素子２３ａからの投影データを第１および第２の基板６１ａ，６１ｂに入力するために形成されている。また、第１電極板８１ａ，８１ｂの両端部側には、後述するガイド部材９１に対応するように基板ガイド溝９２Ｒ，９２Ｌがそれぞれ形成されている。
【００５１】
そして、本実施形態のコネクタ５０は、第１電極８２ａ，８２ｂが一方の面に設けられた第１および第２の基板６１ａ，６１ｂにおいて、第１および第２の基板６１ａ，６１ｂの他方の面同士で重ねて、２つの第１電極８２ａ，８２ｂのそれぞれを、コネクタ５０に設けられた２つの第２電極８４ａ，８４ｂのそれぞれに接続する。
【００５２】
コネクタ本体７１は、図６から図８に示すように、たとえば、アルミニウムなどの金属の成形体を用いて構成されており、Ｘ線検出モジュール２３Ａに設けられている接続部材５１に接続ネジ５２ａ，５２ｂを用いて接続され固定されている。そして、コネクタ本体７１は、第１挿入口７２と、収容部７３と、第２挿入口７５と、ガイド部材９１とを有する。
【００５３】
第１挿入口７２は、第１および第２の基板６１ａ，６１ｂが挿入されるように矩形形状で形成されている。
【００５４】
収容部７３は、第１挿入口７２から挿入される第１および第２の基板６１ａ，６１ｂの第１電極８２ａ，８２ｂの形成領域を収容するようにコネクタ本体７１の内部に直方体形状で形成されている。
【００５５】
第２挿入口７５は、押圧部材７６が挿入されるようにして矩形形状で形成されており、収容部７３とつながっている。
【００５６】
ガイド部材９１は、基板６１ａ，６１ｂを第１挿入口７２から挿入する位置を案内するためにコネクタ本体７１に設けられている。本実施形態においては、ガイド部材９１として、第１および第２のガイド棒９１Ｒ，９１Ｌが、挿入される基板６１ａ，６１ｂの面に沿っている収容部７３の側面に両端部を固定されて構成されている。ここで、第１ガイド棒９１Ｒは、収容部７３の第２挿入口７５側の一端部側に設けられており、第２ガイド棒９１Ｌは、収容部７３の第２挿入口７５側の反対となる他端部側に設けられている。第１および第２のガイド棒９１Ｒ，９１Ｌのそれぞれに、第１および第２の基板６１ａ，６１ｂの基板ガイド溝９２Ｒ，９２Ｌを挿入することによって、第１および第２の基板６１ａ，６１ｂの第１電極８２ａ，８２ｂが、収容部７３の所定の位置に位置合わせされて収容される。なお、ガイド部材９１は、本実施形態の第１および第２のガイド棒９１Ｒ，９１Ｌに限定されず、たとえば、挿入される基板６１ａ，６１ｂの厚みに対応するスリットを挟んで一対で構成されるガイド板であっても良い。また、本実施形態は、第１および第２のガイド棒９１Ｒ，９１Ｌの２つのガイド棒を設けているが、１つのガイド棒であっても良い。
【００５７】
固定部材７４は、第１および第２の固定板７４ａ，７４ｂを用いて構成されている。第１および第２の固定板７４ａ，７４ｂは、基板６１ａ，６１ｂが第１挿入口７２から挿入される際に、基板６１ａ，６１ｂの第１電極８２ａ，８２ｂが設けられている面が、第２電極８４ａ，８４ｂが設けられている一方の面と対面するように、収容部７３に配置されている。
【００５８】
第１および第２の固定板７４ａ，７４ｂは、図９および図１０に示すように、収容部７３に設けられている第１および第２ガイド棒９１Ｒ，９１Ｌのそれぞれが貫通する第１貫通孔９３Ｒａ，９３Ｒｂ，第２貫通孔９３Ｌａ，９３Ｌｂを有している。第１貫通孔９３Ｒａ，９３Ｒｂ，には、第１ガイド棒９１Ｒが貫通しており、第２貫通孔９３Ｌａ，９３Ｌｂは、第２ガイド棒９１Ｌが貫通している。第１貫通孔９３Ｒａ，９３Ｒｂは、第１ガイド棒９１Ｒの外径よりも大きい孔径であり、第２貫通孔９３Ｌａ，９３Ｌｂは、第２ガイド棒９１Ｌの外径よりも大きい孔径である。このため、第１および第２の固定板７４ａ，７４ｂは、第１貫通孔９３Ｒａ，９３Ｒｂに貫通している第１ガイド棒９１Ｒと、第２貫通孔９３Ｌａ，９３Ｌｂに貫通している第２ガイド棒９１Ｌとの軸方向に沿って収容部７３内において移動可能となっている。
【００５９】
そして、第１および第２の固定板７４ａ，７４ｂは、たとえば、樹脂の成形体を用いて構成されており、第２電極板８３ａ，８３ｂがそれぞれの一方の面に設けられている。第２電極板８３ａ，８３ｂのそれぞれは、可撓性がある絶縁板を用いて構成されており、第２電極８４ａ，８４ｂを一方の面に有する。第２電極８４ａ，８４ｂは、第１および第２の基板６１ａ，６１ｂのそれぞれの第１電極８２ａ，８２ｂへ検出素子２３ａからの投影データを出力するために、第１電極８２ａ，８２ｂに対応して第２電極板８３ａ，８３ｂの一方の面にマトリクス状に平面形状で形成されている。第１電極８２ａ，８２ｂと第２電極８４ａ，８４ｂとは、第１電極８２ａ，８２ｂのピンの先端が第２電極８４ａ，８４ｂの面と接触することにより接続状態となる。
【００６０】
そして、第１および第２の固定板７４ａ，７４ｂは、第２電極板８３ａ，８３ｂの第２電極８４ａ，８４ｂの形成領域よりも大きい面積の面を有しており、第２電極８４ａ，８４ｂの形成領域を一方の面が覆うように形成されている。
【００６１】
また、第１および第２の固定板７４ａ，７４ｂは、図９および図１０に示すように、第２挿入口７５側の一端部の厚さが他端部の厚さより薄いテーパー形状で形成されている。そして、図１０に示すように、第１および第２の固定部材７４ａ，７４ｂは、押圧部材７６により押圧されることにより、収容部７３に収容される第１および第２の基板６１ａ，６１ｂの第１電極８２ａ，８２ｂと、第１および第２の固定板７４ａ，７４ｂに設けられた第２電極８４ａ，８４ｂとを接続し、第１および第２の基板６１ａ，６１ｂを固定する。
【００６２】
押圧部材７６は、図９および図１０に示すように、第１および第２の押圧板７６ａ，７６ｂと、押圧板接続部７７とを有する。押圧部材７６は、第１および第２の押圧板７６ａ，７６ｂとが対面し、第１および第２の押圧板７６ａ，７６ｂのそれぞれの一端部が押圧板接続部７７により接続され、コの字形状に形成されている。そして、押圧部材７６は、押圧調整部材１０１と、第１および第２の押圧ガイド溝９４ａ，９４ｂとが設けられている。
【００６３】
第１および第２の押圧板７６ａ，７６ｂは、図９および図１０に示すように、第１および第２の固定板７４ａ，７４ｂの面に沿っている収容部７３の側面と、第１および第２の固定板７４ａ，７４ｂの第２電極８４ａ，８４ｂが形成されていない他方面との間の空間の厚みに対応して、第２挿入口７５側の一端部の厚さが他端部の厚さよりも厚いテーパー形状で形成されている。また、第１および第２の押圧板７６ａ，７６ｂは、第２電極板８３ａ，８３ｂの第２電極８４ａ，８４ｂが形成されていない他方の面よりも大きい面積の面を有しており、第２電極板８３ａ，８３ｂの他方の面を覆うように形成されている。
【００６４】
そして、押圧部材７６は、図１０に示すように、第２挿入口から収容部７３に着脱自在となるように形成されている。押圧部材７６は、第１および第２の押圧板７６ａ，７６ｂを第２挿入口７５から挿入することにより、第１および第２の固定板７４ａ，７４ｂの面に沿っている収容部７３の側面側と、第１および第２の固定板７４ａ，７４ｂの第２電極８４ａ，８４ｂが形成されていない他方面側とに接触して第１および第２の固定板７４ａ，７４ｂを押圧し、第１電極８２ａ，８２ｂと第２電極８４ａ，８４ｂとを接続させる。また、押圧部材７６は、第１および第２の押圧板７６ａ，７６ｂを第２挿入口７５から抜き出すことにより収容部７３から脱離され、第１および第２の固定板７４ａ，７４ｂへの押圧を解除して、第１電極８２ａ，８２ｂと第２電極８４ａ，８４ｂとの接続を解除させる。
【００６５】
押圧調整部材１０１は、押圧部材７６が第２挿入口７５から挿入可能な距離を調整するために、押圧部材７６に設けられている。押圧調整部材１０１は、頭部１０２と、頭部１０２に接続しているネジ部１０３と、を有する。そして、ネジ部１０３を装着するネジ穴部１０４が、押圧部材７６の一端部側にある押圧板接続部７７に形成されている。押圧調整部材１０１は、頭部１０２を所定方向に回動させネジ部１０３をネジ穴部１０４に進行させることによって、押圧部材７６が第２挿入口７５から挿入可能な距離を調整して押圧を調整する。押圧調整部材１０１は、押圧部材７６の一端部側にある押圧板接続部７７に対して反対側にネジ部１０３の先端を進行させることにより、押圧部材７６が挿入される距離を短く調整し、一方、押圧部材７６の一端部側にある押圧板接続部７７にネジ部１０３の先端を進行させることにより、押圧部材７６が挿入される距離を長く調整する。
【００６６】
第１および第２の押圧ガイド溝９４ａ，９４ｂは、押圧部材７６が第２挿入口７５から挿入される位置を案内するために、第１および第２のガイド棒９１Ｒ，９１Ｌに対応して第１および第２の押圧板７６ａ，７６ｂのそれぞれに形成されている。本実施形態においては、第１および第２の押圧ガイド溝９４ａ，９４ｂは、第１および第２のガイド棒９１Ｒ，９１Ｌの間の距離よりも長くなるような溝により構成されている。そして、第１および第２のガイド棒９１Ｒ，９１Ｌのそれぞれに、第１および第２の押圧ガイド溝９４ａ，９４ｂを挿入することによって、第１および第２の押圧板７６ａ，７６ｂが、収容部７３の所定の位置に位置合わせされて収容される。
【００６７】
つぎに、本発明にかかる本実施形態のコネクタ５０において、基板６１ａ，６１ｂの第１電極板８１ａ，８１ｂに形成されている第１電極８２ａ，８２ｂと、固定板７４ａ，７４ｂの第２電極板８３ａ，８３ｂとに形成されている第２電極８４ａ、８４ｂとの間で接続または接続解除する動作について、図９および図１０を用いて説明する。
【００６８】
第１電極８２ａ，８２ｂと、第２電極８４ａ、８４ｂとを接続する場合においては、まず、第１電極８２ａ，８２ｂが一方の面に設けられた第１および第２の基板６１ａ，６１ｂを、第１および第２の基板６１ａ，６１ｂの他方の面同士で重ねる。そして、図９に示すように、第１および第２の固定板７４ａ，７４ｂを、第１および第２のガイド棒９１Ｒ，９１Ｌの軸方向に沿って収容部７３の内部で移動させて、重ねられている第１および第２の基板６１ａ，６１ｂが挿入可能な空間を収容部７３に設ける。
【００６９】
そして、図１０（ａ）に示すように、重ねられている第１および第２の基板６１ａ，６１ｂを、それぞれの第１電極８２ａ，８２ｂとそれぞれの第２電極とが対面するように、第１および第２の固定板７４ａ，７４ｂの間の空間に第１挿入口７２から挿入する。この時、第１および第２のガイド棒９１Ｒ，９１Ｌのそれぞれに、第１および第２の基板６１ａ，６１ｂの基板ガイド溝９２Ｒ，９２Ｌを挿入する。
【００７０】
そして、図１０（ｂ）に示すように、押圧部材７６の第１および第２の押圧板７６ａ，７６ｂを、第２挿入口７５から押圧調整部材１０１によって調整された挿入距離に応じて挿入する。第１および第２の押圧板７６ａ，７６ｂが第２挿入口７５から挿入されることにより、第１および第２の固定板７４ａ，７４ｂの面に沿っている収容部７３の側面側と、第１および第２の固定板７４ａ，７４ｂの第２電極８４ａ，８４ｂが形成されていない他方面側とに、第１および第２の押圧板７６ａ，７６ｂのそれぞれの面を接触させて、第１および第２の固定板７４ａ，７４ｂを押圧し、第１電極８２ａ，８２ｂと第２電極８４ａ，８４ｂとを接続する。ここで、押圧部材７６の第１および第２の押圧板７６ａ，７６ｂを第２挿入口７５から挿入する際には、第１および第２のガイド棒９１Ｒ，９１Ｌのそれぞれに、第１および第２の押圧ガイド溝９４ａ，９４ｂを挿入する。
【００７１】
一方、第１電極８２ａ，８２ｂと、第２電極８４ａ、８４ｂとの接続を解除する場合においては、第１および第２の押圧板７６ａ，７６ｂを第２挿入口７５から抜き出して、第１および第２の固定板７４ａ，７４ｂへの押圧を解除して、第１電極８２ａ，８２ｂと第２電極８４ａ，８４ｂとの接続を解除する。そして、重ねられている第１および第２の基板６１ａ，６１ｂを、第１挿入口７２から抜き出す。
【００７２】
以上のように、本実施形態によれば、押圧部材７６を第２挿入口７５から収容部７３側に挿入することにより、固定部材７４の面と、固定部材７４の面に沿っている収容部７３の側面とに押圧部材７６のそれぞれの面を接触させて固定部材７４を押圧し、収容部７３に収容される基板６１ａ，６１ｂを固定して第１電極８２ａ，８２ｂと第２電極８４ａ，８４ｂとを接続する。固定部材７４は第２挿入口７５側の一端部の厚さが他端部の厚さより薄いテーパー形状で形成されており、押圧部材７６は第２挿入口７５側の一端部の厚さが他端部の厚さより厚いテーパー形状で形成されているために、押圧部材７６を第２挿入口７５側から収容部７３側に挿入することが容易であり、収容部７３の第２挿入口７５側と反対の他端部側を容易に押圧することができるため、均一な強度で基板を固定して第１電極８２ａ，８２ｂと第２電極８４ａ，８４ｂとを接続することができる。また、前述のＸ線検出アレイ２３のように複数の基板が狭い空間に設けられている場合であっても、押圧部材７６を第２挿入口７５から挿入することによって容易に基板６１ａ，６１ｂを固定することができる。
【００７３】
また、固定部材７４は、第１電極８２ａ，８２ｂと第２電極８４ａ，８４ｂとが接続される領域を覆うように一方面が形成されている。このため、固定部材７４は、収容部７３の全体に亘って基板６１ａ，６１ｂを均一な強度で押圧して固定し、第１電極８２ａ，８２ｂと第２電極８４ａ，８４ｂとを均一な強度で接続することができる。
【００７４】
そして、押圧部材７６は、第２電極８４ａ，８４ｂが形成されていない固定部材７４の他方の面を覆うようにして一方面が形成されており、また、固定部材７４の面に沿っている収容部７３の側面と固定部材７４の他方面との間にある空間の厚みに対応するような厚さで形成されている。このため、押圧部材７６は、収容部７３の全体に亘って基板６１ａ，６１ｂを均一な強度で押圧して固定し、第１電極８２ａ，８２ｂと第２電極８４ａ，８４ｂとを均一な強度で接続することができる。
【００７５】
また、押圧部材７６は、第２挿入口７５から収容部７３に着脱自在となるように形成されている。このため、狭い空間での基板６１ａ，６１ｂの着脱が容易に可能であり、たとえば、放射線断層撮影装置であるＸ線ＣＴ装置のメンテナンスを容易にすることができる。
【００７６】
そして、押圧部材７６には、第２挿入口７５から押圧部材７６が挿入可能な距離を調整する押圧調整部材１０１が設けられている。本実施形態では押圧調整部材１０１は、頭部１０２と、頭部１０２に接続しているネジ部１０３とを有し、押圧部材７６には、ネジ部１０３を装着するネジ穴部１０４が一端部側に形成されており、頭部１０２を所定方向に回動させネジ部１０３をネジ穴部１０４に進行させることによって、第２挿入口７５から押圧部材７６が挿入可能な距離を調整している。このため、押圧部材７６は、基板６１ａ，６１ｂを適度な強度で押圧して固定し、第１電極８２ａ，８２ｂと第２電極８４ａ，８４ｂとを適度な強度で接続することができ、着脱が容易にできる。また、本実施形態では押圧調整部材１０１が、頭部１０２とネジ部１０３とにより構成されているため、第２挿入口７５から押圧部材７６が挿入可能な距離を微調節することが容易にできる。
【００７７】
また、コネクタ本体７５には、基板６１ａ，６１ｂを第１挿入口７２から挿入する位置を案内するガイド部材９１が設けられている。本実施形態においては、ガイド部材９１として、第１および第２のガイド棒９１Ｒ，９１Ｌが、収容部７３の第２挿入口７５側の一端部側と、反対側の他端部側とに、固定部材７４の面に沿っている７５収容部の側面に端部が固定されてそれぞれ設けられている。このため、基板６１ａ，６１ｂが挿入されて収容される位置を容易に把握することができ、着脱が容易になる。また、第１および第２のガイド棒９１Ｒ，９１Ｌがそれぞれ、収容部７３の第２挿入口７５側の一端部側と、反対側の他端部側とに設けられているため、押圧されていない状態においても基板６１ａ，６１ｂを支持することができ、着脱が容易となる。
【００７８】
また、押圧部材７６には、第１および第２のガイド棒９１Ｌ，９１Ｒを用いて第２挿入口７５から挿入される位置を案内する押圧ガイド溝９４ａ，９４ｂが第１および第２のガイド棒９１Ｌ，９１Ｒに対応して形成されている。このため、押圧部材７６が第２挿入口７５から挿入されて収容される位置を容易に把握することができ、着脱が容易になる。また、第１および第２のガイド棒９１Ｌ，９１Ｒを、基板６１ａ，６１ｂと押圧部材７６との両者の位置合わせに用いているため、収容部７３内の空間を有効的に利用できる。
【００７９】
また、固定部材７４は、第１ガイド棒９１Ｒが貫通している第１貫通孔９３Ｒａ，９３Ｒｂと、第２ガイド棒９１Ｌが貫通している第２貫通孔９３Ｌａ，９３Ｌｂとを有している。このため、固定部材７４が収容部７３の所定位置の配置することが容易となり、着脱が容易にできる。
【００８０】
そして、固定部材７４は、第１貫通孔９３Ｒａ，９３Ｒｂに貫通している第１ガイド棒９１Ｒと、第２貫通孔９３Ｌａ，９３Ｌｂに貫通している第２ガイド棒９１Ｌとの軸方向に沿って収容部７３内において移動可能なように設けられている。このため、収容部７３に基板６１ａ，６１ｂが収容される空間を容易に設けることができ、着脱が容易にできる。
【００８１】
したがって、本実施形態によれば、基板を配置する空間が狭い場合であっても、基板をコネクタに十分な強度で容易に固定することができ、また、基板をコネクタから容易に着脱することができ、メンテナンスを容易にすることができる。
【００８２】
なお、本発明の実施に際しては、上記の実施形態に限定されるものではなく、種々の変形形態を採用することできる。
【００８３】
たとえば、上記の実施形態においては、コネクタ本体の収容部に２枚の基板を収容する場合について示しているが、これに限定されない。たとえば、１枚の基板を収容する場合についても適用できる。
【００８４】
また、たとえば、上記の実施形態においては、固定部材と押圧部材として、それぞれ２つずつ用いているが、これに限定されない。たとえば、固定部材と押圧部材とをそれぞれ１つずつ用いて、基板の一方面を収容部の側面に合わせて固定部材と押圧部材とにより基板の他方面を押圧して固定してもよい。
【図面の簡単な説明】
【００８５】
【図１】図１は、本発明の実施形態に係る放射線断層撮影装置としてのＸ線ＣＴ装置の全体構成を示すブロック図である。
【図２】図２は、本発明の実施形態に係る放射線断層撮影装置としてのＸ線ＣＴ装置の要部を示す構成図である。
【図３】図３は、本発明の実施形態に係る放射線断層撮影装置としてのＸ線ＣＴ装置におけるＸ線検出モジュールの構成図である。
【図４】図４は、本発明の実施形態に係る放射線断層撮影装置としてのＸ線ＣＴ装置において、Ｘ線管とコリメータとＸ線検出アレイの相互関係を示す図であり、図４（ａ）は体軸方向を視線とした側から見た状態を示す図であり、図４（ｂ）はチャネル方向を視線とした側から見た状態を示す図である。
【図５】図５は、本発明の実施形態に係る放射線断層撮影装置としてのＸ線ＣＴ装置において、Ｘ線管とコリメータとＸ線検出アレイの相互関係を示す図であり、チャネル方向を視線として見た状態において、被撮影体を撮影する状態を示している。
【図６】図６は、本発明にかかる本実施形態のコネクタの構成を示す構成図であり、体軸方向の一方の側を視線とした場合を示す図である。
【図７】図７は、本発明にかかる本実施形態のコネクタの構成を示す構成図であり、図６に対して他方の側を視線とした場合を示す図である。
【図８】図８は、本発明にかかる本実施形態のコネクタの構成を示す構成図であり、チャネル方向ｘを視線とした場合を示す図である。
【図９】図９は、本発明にかかる本実施形態のコネクタの構成を示す構成図であり、Ｘ線照射方向ｙを視線とする場合を示す図である。
【図１０】図１０は、本発明にかかる本実施形態のコネクタの構成を示す構成図であり、Ｘ線照射方向ｙを視線とする場合を示す図である。ここで、（ａ）は、第１および第２の基板を第１挿入口から挿入して収容部に収容した後の状態を示しており、（ｂ）は、押圧部材を第２挿入口から挿入して第１および第２の基板の第１電極とコネクタの第２電極８を接続した後を示している。
【符号の説明】
【００８６】
１…Ｘ線ＣＴ装置、２…走査ガントリ、３…操作コンソール、４…撮影テーブル、５…Ｘ線、６…被撮影体、２０…Ｘ線管、２１…Ｘ線管移動部、２２…コリメータ、２３…Ｘ線検出アレイ、２４…データ収集部、２４１…選択・加算切換回路、２４２…アナログ−デジタル変換器、２５…Ｘ線コントローラ、２６…コリメータコントローラ、２７…回転部、２８…回転コントローラ、２９…Ｘ線照射空間、３０…中央処理装置、３１…入力装置、３２…表示装置、３３…記憶装置、５０…コネクタ、６１ａ…第１基板、６１ｂ…第２基板、７１…コネクタ本体、７２…第１挿入口、７３…収容部、７４…固定部材、７４ａ…第１固定板、７４ｂ…第２固定板、７５…第２挿入口、７６…押圧部材、７６ａ…第１押圧板、７６ｂ…第２押圧板、７７…押圧板接続部、８１ａ，８１ｂ…第１電極板、８２ａ，８２ｂ…第１電極、８３ａ，８３ｂ…第２電極板、８４ａ，８４ｂ…第２電極、９１…ガイド部材、９１Ｒ…第１ガイド棒、９１Ｌ…第２ガイド棒、９２Ｒ，９２Ｌ…基板ガイド溝、９３Ｒａ，９３Ｒｂ…第１貫通孔、９３Ｌａ，９３Ｌｂ…第２貫通孔、９４ａ…第１押圧ガイド溝、９４ｂ…第２押圧ガイド溝、１０１…押圧調整部材、１０２…頭部、１０３…ネジ部
【図１】
2005124722.tif 000003
【図２】
2005124722.tif 000004
【図３】
2005124722.tif 000005
【図４】
2005124722.tif 000006
【図５】
2005124722.tif 000007
【図６】
2005124722.tif 000008
【図７】
2005124722.tif 000009
【図８】
2005124722.tif 000010
【図９】
2005124722.tif 000011
【図１０】
2005124722.tif 000012